(57)【要約】【課題】オーダーメイドに適した多孔質コーナー板の製造方法を提供する【解決手段】ＡＬＣ板１０の表面を加工して意匠面１２を形成し、該表面に、ＡＬＣ板の長手方向法に沿って、長手方向に対する垂直断面でＶ字状の溝１３を形成する。次に、意匠面１２と溝１３が形成されたＡＬＣ板１０の表面に塗料を噴霧して塗装する。その後、ＡＬＣ板１０の裏面から、ＡＬＣ板１０の長手方向に対する垂直断面でＶ字状の切断面１５を有するように、ＡＬＣ板１０を長手方向に沿って切断して２つの板材１０Ａ，１０Ｂに分離する。その際、ＡＬＣ板１０の長手方向に対する垂直断面において、Ｖ字状の切断面１５の尖端は、Ｖ字状の溝１３の尖端と一致する。次に、２つの板材１０Ａ，１０Ｂの切断面１５を、接着剤１１を介して貼り合せる。【選択図】図１
2013189771.tif 000002
【特許請求の範囲】
【請求項１】
多孔質板の表面に凹凸模様を形成する工程と、
前記多孔質板の表面を切削することによりＶ字状の溝を前記多孔質板の長手方向に沿って形成する工程と、
前記凹凸模様及び前記溝が形成された前記多孔質板の表面を塗装する工程と、
前記多孔質板の表面を塗装した後に、前記多孔質板の裏面を切削することにより、前記多孔質板の長手方向に沿ってＶ字状の切断面を形成し、前記多孔質板を２つの板材に切断する工程と、
前記２つの板材の切断面を、接着剤を介して接合する工程と、を備えることを特徴とする多孔質コーナー板の製造方法。
【請求項２】
前記多孔質板を前記２つの板材に切断する工程では、前記多孔質板の長手方向に対する垂直断面において、Ｖ字状の前記切断面の尖端はＶ字状の前記溝の尖端と一致することを特徴とすることを特徴とする請求項１に記載の多孔質コーナー板の製造方法。
【請求項３】
前記溝の内壁の前記多孔質板の表面に対する角度、及び前記板材の切断面の前記多孔質板の裏面に対する角度は、いずれも４５°であることを特徴とする請求項２に記載の多孔質コーナー板の製造方法。
【発明の詳細な説明】
【技術分野】
【０００１】
本発明は、多孔質コーナー板の製造方法に関し、特に、意匠面の形成工程及び塗装工程を含む多孔質コーナー板の製造方法に関する。
【背景技術】
【０００２】
従来、建築物の壁面等に用いられる建築用の板材（いわゆるパネル材）として、多孔質であるＡＬＣ（Ａｕｔｏｃｌａｖｅ  ｌｉｇｈｔ−ｗｉｇｈｔ  ｃｏｎｃｒｅｔｅ；軽量気泡コンクリート）板が知られている。ＡＬＣ板には、その外観の向上や防水性の向上を図るために塗装処理が施されている。
【０００３】
ＡＬＣ板には、通常の平板の他に、壁面のコーナー（角）に設置されるＡＬＣコーナー板がある。このＡＬＣコーナー板は、長手方向に対する垂直断面の形状がＬ字形になっている。
【０００４】
従来のＡＬＣコーナー板の製造方法について、特許文献１には、ＡＬＣ角材の３面を塗装した後に、そのＡＬＣ角材から断面Ｌ字形の２つのＡＬＣコーナー板を切り出す方法が開示されている。また、特許文献２には、１対のＡＬＣ板の互いに接合面となる小口を４５°の角度に開削切断し、該ＡＬＣ板の裏面に所定の間隔をあけてシートを貼り付けて２枚のＡＬＣ板を連結する方法が開示されている。
【先行技術文献】
【特許文献】
【０００５】
【特許文献１】特開２００９−２２７５１８号公報
【特許文献２】特開２０１１−１４９２３２号公報
【発明の概要】
【発明が解決しようとする課題】
【０００６】
近年、建築物のオーダーメイド志向の高まりに伴って、ＡＬＣコーナー板についても、意匠面（表面の凹凸模様）を形成すること、表面の塗装処理を施すことに加えて、その形状に自由度を持たせること、特に、ＡＬＣコーナー板のコーナー部を面取りすることが求められている。また、意匠面の形成、塗装処理、形状加工という一連の工程を効率的に行うことも求められている。
【０００７】
しかしながら、従来の製造方法では、このような要望に対応することが困難であった。例えば、特許文献２の製造方法では、ＡＬＣコーナー板の形状に面取り等の自由度を持たせることには対応できない。また、特許文献１の製造方法では、ＡＬＣコーナー板を切り出すための切削工数が多いと共に、ＡＬＣ角材の３面を塗装する必要があることから塗装処理が煩雑であるという問題がある。
【課題を解決するための手段】
【０００８】
本発明の多孔質コーナー板の製造方法は、多孔質板の表面に凹凸模様を形成する工程と、前記多孔質板の表面を切削することによりＶ字状の溝を前記多孔質板の長手方向に沿って形成する工程と、前記凹凸模様及び前記溝部が形成された前記多孔質板の表面を塗装する工程と、前記多孔質板の裏面を切削することにより、Ｖ字状の第２の溝を前記多孔質板の長手方向に沿って形成することにより、前記多孔質板を切断する工程と、前記第２の溝を形成する際に形成された前記多孔質板の一対の切削面を、接着剤を介して貼り合わせる工程と、を備えることを特徴とする。
【発明の効果】
【０００９】
本発明の多孔質コーナー板の製造方法によれば、意匠面（表面の凹凸模様）を形成すること、表面の塗装処理を施すことに加えて、その形状に面取り等の自由度を持たせることができる。また、意匠面の形成、塗装処理、形状加工という一連の工程を効率的に行うことが可能になる。
【図面の簡単な説明】
【００１０】
【図１】本発明の実施形態による多孔質コーナー板の製造方法を示す斜視図である。
【図２】本発明の実施形態による多孔質コーナー板の製造方法を示す斜視図である。
【図３】本発明の実施形態による多孔質コーナー板の製造方法を示す断面図である。
【図４】本発明の実施形態による多孔質コーナー板の製造方法を示す断面図である。
【図５】参考例による多孔質コーナー板の製造方法を示す断面図である。
【図６】本発明の実施形態による多孔質板コーナーの製造方法を示す斜視図である。
【発明を実施するための形態】
【００１１】
本発明の実施形態による多孔質コーナー板の製造方法について説明する。本実施形態の多孔質コーナー板は、多孔質の一種であるＡＬＣからなるコーナー板（以下、ＡＬＣコーナー板と略称する）であり、その長手方向に対する垂直断面が屈折した形状（Ｌ字型あるいはＶ字型に近似した形状）であるものとする。
【００１２】
図１の斜視図に示すように、ＡＬＣコーナー板１は、２つの板材１０Ａ，１０Ｂが接着剤１１を介して貼り合されている。ＡＬＣコーナー板１の出隅の端部１Ａ（コーナー部）には、ＡＬＣコーナー板１の長手方向に沿って、平坦状あるいは略平坦状の面取りが施されている。
【００１３】
また、ＡＬＣコーナー板１の長手方向に対する垂直断面において、２つの板材１０Ａ，１０Ｂのなす角θ（入隅側の角）は、所望する任意の角度に設定できるが、本実施形態では、θ＝９０°である場合を例として説明する。
【００１４】
また、図１では図示を省略するが、ＡＬＣコーナー板１の表面（長手方向に対する垂直断面における出隅側の表面）には、凹凸模様が加工されてなる意匠面（不図示）が形成されている。さらに、ＡＬＣコーナー板１の表面の意匠面と、ＡＬＣコーナー板１の出隅の端部１Ａには、塗料（不図示）が所定の膜厚で塗装されている。
【００１５】
上述したＡＬＣコーナー板１は、図２の斜視図に示すような、直方体のＡＬＣ板１０から製造される。以下に、ＡＬＣコーナー板１の製造方法について、ＡＬＣ板１０の長手方向に対する断面図を参照して説明する。
【００１６】
先ず、図３（Ａ）の断面図に示すように、ＡＬＣ板１０の表面に対して、切削装置や研磨装置等の加工機（不図示）を用いて、切削、研磨、破砕等の加工を施すことにより、凹凸模様の意匠面１２を形成する。この意匠面１２は任意のデザインとすることができるが、本実施形態では、ステップ状の規則的な凹凸模様であるものとして説明する。
【００１７】
次に、図３（Ｂ）に示すように、ＡＬＣ板１０の表面に、ＡＬＣ板１０の長手方向に対する垂直断面でＶ字状となる溝１３をＡＬＣ板１０の長手方向法に沿って形成する。ＡＬＣ板１０の表面と、溝１３の内壁とのなす角θｃは、所望する任意の角度に設定できるが、本実施形態では、θｃ＝４５°である場合を例として説明する。
【００１８】
この溝１３の形成には、ＡＬＣ板１０の意匠面１２の形成に用いられる切削装置や研磨装置等の加工機２１を用いることができる。また、これ以外にも、ＡＬＣ板１０の切断用の回転ブレードを用いてもよい。
【００１９】
なお、溝１３の形成は、図３（Ａ）の意匠面１２の形成工程と同時に行われてもよく、または、意匠面１２の形成工程よりも前に行われてもよい。
【００２０】
次に、図３（Ｃ）に示すように、塗装対象面、即ち意匠面１２及び溝１３が形成されたＡＬＣ板１０の表面に対して、塗料１４を噴霧することにより塗装を行う。この塗装工程では、塗料１４の噴霧によって平面的に塗装を行うため、ＡＬＣ板１０の表面、即ち意匠面１２と溝１３の内壁を効率よく簡易に塗装できると共に、塗装されるべきではないＡＬＣ板１０の側面１０Ｓや裏面に、塗料１４が回り込んで付着することを極力防止できる。つまり、塗装不良を極力防止できる。
【００２１】
より確実に塗装不良を防止する観点では、ＡＬＣ板１０は、その表面を仰向けにして、水平あるいは略水平に不図示の作業台上に載置され、その後、該表面に対して塗料１４が噴霧されることが好ましい。また、塗料１４はＡＬＣ板１０の表面に対して垂直あるいは略垂直に噴霧されることが好ましい。
【００２２】
参考例として、図５（Ａ）の断面図に示すように、塗装されていない板材１０Ａ，１０Ｂが貼り合されてなるＡＬＣコーナー板１を、固定治具５０に固定し、図５（Ｂ）に示すように、ＡＬＣコーナー板１の表面、つまり塗装対象面に塗料１４を噴霧した場合を考える。
【００２３】
すると、塗装対象面であるＡＬＣコーナー板１の表面が傾斜しているため、塗装されるべきではないＡＬＣコーナー板１の側面１Ｓに、噴霧された塗料１４が回り込み易くなる。あるいは、ＡＬＣコーナー板１と固定治具５０の接触部１Ｊに、塗料１４が付着し易くなる。この場合、ＡＬＣコーナー板１は塗料１４の固化に伴って固定治具５０に対して固着され、ＡＬＣコーナー板１を無理に剥がそうとすると、ＡＬＣコーナー板１が破損するおそれがある。このようなＡＬＣコーナー板１の塗装不良や破損の問題についても、本実施形態によれば回避することができる。
【００２４】
次に、図４（Ａ）に示すように、塗装されたＡＬＣ板１０の塗料１４に対する乾燥工程を経た後、ＡＬＣ板１０を反転して、その裏面を仰向けにするように不図示の作業台上に載置する。そして、ＡＬＣ板１０の裏面から、ＡＬＣ板１０の長手方向に対する垂直断面でＶ字状の切断面１５を有するように、ＡＬＣ板１０を長手方向に沿って切断して２つの板材１０Ａ，１０Ｂに分離する。
【００２５】
その際、ＡＬＣ板１０の長手方向に対する垂直断面において、Ｖ字状の切断面１５の尖端Ｐが、ＡＬＣ板１０の表面から形成されたＶ字状の溝１３の尖端と一致するように、ＡＬＣ板１０の切断を行う。ＡＬＣ板１０の切断には、例えばＡＬＣ板１０の切断用の回転ブレード２２を用いることができる。
【００２６】
ＡＬＣ板１０の裏面と、切断面１５とのなす角θｓは、所望する任意の角度に設定できるが、本実施形態では、θｓ＝４５°である場合を例として説明する。
【００２７】
次に、図４（Ｂ）に示すように、２つの板材１０Ａ，１０Ｂの各切断面１５に、接着剤１１を噴霧等により付着させる。その後、図４（Ｃ）に示すように、切断面１５同士が接着剤１１を介して接合するように、２つの板材１０Ａ，１０Ｂを貼り合せる。こうしてＡＬＣコーナー板１が完成する。
【００２８】
完成したＡＬＣコーナー板１において、２つの板材１０Ａ，１０Ｂのなす角θ（入隅側の角）は、図４（Ａ）の工程おけるＡＬＣ板１０の裏面と切断面１５とのなす角θｓの２倍である。つまり、角θｓを調節することで、角θを所望する任意の角度に設定することができる。
【００２９】
角θｃと角θｓが共に４５°である場合には、完成したＡＬＣコーナー板１の出隅の端部１Ａは、平坦状あるいは略平坦状の面取りが施されたのと同様の状態になる。この端部１Ａの表面は、図３（Ｂ）の工程で形成した溝１３の内壁に相当するものであり、ＡＬＣ板１０を２つの板材１０Ａ，１０Ｂに分離して貼り合せる前に、図３（Ｃ）の工程によって、既に塗装されている。
【００３０】
仮に、２つの板材１０Ａ，１０Ｂを貼り合せた後に、出隅の端部１Ａを研磨して面取りを施し、その端部１Ａの表面を塗装した場合、２回の塗装が必要となってしまう。これに対して本実施形態では、１回の平面塗装を行うだけで、意匠面１２に対しても、端部１Ａの表面に対しても塗装が施される。つまり、効率的な塗装を行うことができる。
【００３１】
なお、ＡＬＣコーナー板１の出隅の端部１Ａは、必ずしも、平坦状あるいは略平坦状の面取りが施されたのと同様の状態にならなくてもよい。例えば、図６（Ａ）に示すように、ＡＬＣコーナー板１の出隅の端部１ＡがＶ字状の溝となるように形成され、図６（Ｂ）に示すように、端部１Ａの溝内に埋め込まれるようにして、シーリング材１６等が形成されてもよい。
【００３２】
この構成を得るためには、図３（Ｂ）の工程におけるＡＬＣ板１０の表面と溝１３の内壁とのなす角θｃと、図４（Ａ）の工程おけるＡＬＣ板１０の裏面と切断面１５とのなす角θｓのいずれか、あるいは両方を調整すればよい。なお、図６（Ａ）及び図６（Ｂ）では、図３（Ｂ）の例と同様に、角θｃを４５°としたままで、図４（Ａ）の角θｓを４５°より大きくした場合（つまり角θが９０°より多きくなる場合）を示している。
【００３３】
このように、本実施形態によれば、意匠面１２の形成工程と塗装工程を含むＡＬＣコーナー板１の製造方法において、塗装不良の少ない効率的な塗装が可能となると共に、ＡＬＣコーナー板１の長手方向に対する垂直断面の形状に関してオーダーメイドが可能となる。また、ＡＬＣコーナー板１を製造するために必要なＡＬＣ板１０の切断を、簡易に行うことができる。これにより、発注主の好みに応じたＡＬＣコーナー板１を、必要な数量だけ効率よく製造できる。つまり、不要な在庫が無くなり、いわゆる無在庫生産を行うことが可能となる。
【００３４】
なお、本発明は上記実施形態に限定されず、要旨を逸脱しない範囲で変更が可能なことは言うまでもない。例えば、上記実施形態では、製造の対象をＡＬＣコーナー板としたが本発明はこれに限定されない。本発明は、ＡＬＣ以外の多孔質からなるコーナー板、例えば、木材や樹脂を含むコーナー板の製造方法にも適用される。
【符号の説明】
【００３５】
１  ＡＬＣコーナー板      １０  ＡＬＣ板          １０Ａ，１０Ｂ  板材      
１１  接着剤              １２  意匠面            １３  溝
１４  塗料                １５  切断面            ２１  加工機              
２２  回転ブレード
【図１】
2013189771.tif 000003
【図２】
2013189771.tif 000004
【図３】
2013189771.tif 000005
【図４】
2013189771.tif 000006
【図５】
2013189771.tif 000007
【図６】
2013189771.tif 000008